(57)【要約】      （修正有）【課題】長期に亘って鳥類の忌避効果を発揮すると共に、磁力の低下が起こりにくく、メンテナンスの手間も少なくできると共に、鳥類の忌避効果以外の役割を容易に具備させることができる磁性鳥害防止中空体を提供する。【解決手段】磁力発生手段１が太陽電池の生起した電力により磁力を励起することで、天候等に起因する日照の変化に応じて励起される磁力が変化し、長期に亘って鳥類の忌避効果を発揮できるが、磁力発生手段１にコイル状の誘電体を用いることで磁力の低下が起こりにくく、また太陽電池への受光がなされなくなれば、磁力発生手段に電力が供給されなくなって磁力の励起が停止するから、鉄くずなどの磁石に付着する物体を自然に脱離させることができメンテナンスの手間も少なくできる。また内駆体２の内側が中空部４となされていることで、中空部４を用いて種々の役割を容易に具備させることができる。【選択図】図１
2007319001.tif 000002
【特許請求の範囲】
【請求項１】
導電体をコイル状にして形成され通電により磁力を励起する磁力発生手段と、太陽光の照射により電力を生起する太陽電池と、円筒状の外駆体と、該外駆体の内側に配置され円筒状となされた内駆体とを備え、前記太陽電池により生起された電力を用いて前記磁力発生手段の磁力が励起され、前記太陽電池及び前記磁力発生手段が前記外駆体及び内駆体との間に収納されると共に、前記内駆体の内側が中空部となされていることを特徴とする磁性鳥害防止中空体。
【請求項２】
前記太陽電池は色素増感型太陽電池であることを特徴とする請求項１に記載の磁性鳥害防止中空体。
【発明の詳細な説明】
【技術分野】
【０００１】
鳥害が起こりうる場所に設けられ、励起された磁力により鳥類が接近を忌避するようになした磁性鳥害防止中空体に関するものである。
【背景技術】
【０００２】
鳥類は、磁気を敏感に感じる能力があり、強力な磁力により周囲の磁場を乱されることで方向感覚を失うことから、磁力を発する磁石等を忌避することがよく知られている。但し、磁力が一定である場合には馴致し、忌避効果が得られにくくなる。かかる問題を解決すべく、２個のフェライトマグネット片を、その同極面同士が対峙状または当接状となる如く合体して合せ磁性体本体を形成し、該合わせ磁性体本体の両外側面が、先に対峙状または当接状とした面の極とは逆の同極面同士となるようにし、合せ磁性体本体の外周近傍の磁場が、その外周縁から所定距離離反した一において形成される磁力０値域を堺に、その両側域における磁力を励起もしくは増幅傾向に形成されてなることで、特異な磁場形成で周辺に複雑な磁気を発散することとなり、野鳥の飛行に重大な影響があるとされている地磁気に乱れを生じさせて忌避効果を発揮する鳥害防止用磁性体が開示されている（例えば特許文献１）。
【０００３】
【特許文献１】特開平１１−３４１９４２号公報
【発明の開示】
【発明が解決しようとする課題】
【０００４】
しかしながら、特許文献１の如き磁性体では、永久磁石であるフェライトマグネットを用いることから、時間の経過等周辺環境により励起される磁力の低下が起こる恐れがある。また鉄くずなど磁石に付着する物体が付着した場合に、自然に外れることがなく人為的に取り除く必要があり、メンテナンスに手間がかかるという難点があった。更に、鳥害防止用磁性体として鳥類の忌避効果を発揮するのみに留まるものであり、他に何ら役割を果たせるものではなかった。
【０００５】
本発明は上記の如き課題に鑑みてなされたものであり、長期に亘って鳥類の忌避効果を発揮すると共に、磁力の低下が起こりにくく、メンテナンスの手間も少なくできると共に、鳥類の忌避効果以外の役割を容易に具備させることができる磁性鳥害防止中空体を提供せんとするものである。
【課題を解決するための手段】
【０００６】
上記目的を達成するため、本発明は以下のような構成としている。すなわち、本発明に係わる磁性鳥害防止中空体は、導電体をコイル状にして形成され通電により磁力を励起する磁力発生手段と、太陽光の照射により電力を生起する太陽電池と、円筒状の外駆体と、該外駆体の内側に配置され円筒状となされた内駆体とを備え、前記太陽電池により生起された電力を用いて前記磁力発生手段の磁力が励起され、前記太陽電池及び前記磁力発生手段が前記外駆体及び内駆体との間に収納されると共に、前記内駆体の内側が中空部となされていることを特徴とするものである。
【０００７】
本発明に係わる磁性鳥害防止中空体によれば、磁力発生手段が太陽電池の生起した電力により磁力を励起することで、天候等に起因する日照の変化に応じて励起される磁力が変化し、長期に亘って鳥類の忌避効果を発揮できるが、磁力発生手段にコイル状の誘電体を用いることで磁力の低下が起こりにくく、また太陽電池への受光がなされなくなれば、磁力発生手段に電力が供給されなくなって磁力の励起が停止するから、鉄くずなどの磁石に付着する物体を自然に脱離させることができメンテナンスの手間も少なくできる。また内駆体の内側が中空部となされていることで、中空部を用いて種々の役割を容易に具備させることができる。
【０００８】
また前記太陽電池は色素増感型太陽電池であれば、種々の役割に応じて増感色素により色調を設定し、意匠性を高めることができるようになり好ましい。
【発明の効果】
【０００９】
本発明に係わる磁性鳥害防止中空体によれば、磁力発生手段が太陽電池の生起した電力により磁力を励起することで、天候等に起因する日照の変化に応じて励起される磁力が変化し、長期に亘って鳥類の忌避効果を発揮できるが、磁力発生手段にコイル状の誘電体を用いることで磁力の低下が起こりにくく、また太陽電池への受光がなされなくなれば、磁力発生手段に電力が供給されなくなって磁力の励起が停止するから、鉄くずなどの磁石に付着する物体を自然に脱離させることができメンテナンスの手間も少なくできる。また内駆体の内側が中空部となされていることで、中空部を用いて種々の役割を容易に具備させることができる。
【発明を実施するための最良の形態】
【００１０】
本発明に係わる最良の実施の形態について、図面に基づき以下に具体的に説明する。
【００１１】
図１は、本発明に係わる磁性鳥害防止中空体の、実施の一形態を示す一部破面図である。磁性鳥害防止中空体１０には、磁力を発生する磁力発生手段１が備えられ、磁力発生手段１は導電体である鋼線をコイル状に巻回して形成され、円筒状の内駆体２の外周面に巻き付けられている。内駆体２の内側には中空部４が設けられている。磁力発生手段１の更に外側には、太陽電池（本図においては図示せず）が備えられた外駆体３が設けられている。内駆体２及び外駆体３は、合成樹脂から形成されて、磁力発生手段１により励起された磁力が内駆体２及び外駆体３により干渉されることを防止している。磁力発生手段１の端部１１及び１２を太陽電池に接続することで、太陽電池により生起された電力が磁力発生手段１に通電されて磁力が励起される。発生される磁力は、フレミングの右手の法則に従って、端部１１に陽極を接続すれば下方に向けて磁力が発せられ、端部１２に陽極を接続すれば上方に向けて磁力が発せられる。かかる磁力が発せられる方向を、鳥類を忌避させる必要のある対象物に向けることで高い忌避効果を得ることができることから、磁性鳥害防止中空体１０が設置される状況に応じて適宜の方向に向けて設置するようにしてよい。また内駆体２と外駆体３との間の隙間は、上端に蓋体等（図示せず）を取り付けて上方を閉塞しておくのが好ましい。
【００１２】
図２は、外駆体及び太陽電池の詳細を示す横断面図である。太陽電池５は外駆体３と一体に設けられたものであり、太陽電池５は外側に配置された円筒状の外駆体３と内側に配置された円筒状の合成樹脂板５２との間に、透明なＥＶＡ樹脂からなる封止材５３中にアモルファス型の太陽電池セル５１が封止されて設けられている。外駆体３は透明な合成樹脂からなり、外周面から入射された太陽光が太陽電池セル５１に入射されることで電力が生起され、その電力は磁力発生手段１に供給される。太陽電池セル５１は柔軟性に富むアモルファス型のものを用いることで、外駆体３や合成樹脂板５２により形成される円筒状の曲面に容易に沿わせることができるようになされている。
【００１３】
図３は、太陽電池５の変形の一例を示す横断面図である。本例における太陽電池５は色素増感型太陽電池であり、透明な合成樹脂板にＩＴＯ等が蒸着されて電極被膜が形成されている外駆体３の内側に、同じく合成樹脂板に白金が蒸着された対向電極基板５４が配置され、外駆体３の内面に酸化チタン等の半導体にルテニウム錯体等の増感色素が導入されて形成された光電極層５５が設けられている。更に光電極層５５と対向電極基板５４との間には、ヨウ素溶液等の電解質溶液５６が充填され、太陽光が光電極層５５に照射されることで電力が生起されるものである。対向電極基板５４と電解質溶液５６との間には、白金、カーボン等の被膜が形成されていることで外駆体３に形成された電極被膜との電位差が生じるようになされている。かかる色素増感型太陽電池を用いることで、シリコン系の太陽電池セルを用いる場合よりはるかに安価に太陽電池５を形成することができ、また小型化も容易である。更にまた種々の色調の外駆体３を得ることができ、意匠性に優れたものとすることができる。
【００１４】
図４は、本発明に係わる磁性鳥害防止中空体の、中空部の活用の例を示す説明図である。（ａ）は磁性鳥害防止中空体１０の中空部４に土壌Ｅを設けて植物Ｐを植栽し、植木鉢、プランターとして用いたものであり、例えばトマトや枝豆などを生育させて果実が実った場合に、鳥が飛来するのを防いでその果実を鳥害から保護することができる。（ｂ）は中空部４に特に細工をせず、磁性鳥害防止中空体１０自体をゴミ箱として用いたものであり、例えば屋外に置かれたゴミ箱には残飯なども投棄される場合があるが、鳥が飛来するのを防ぐことで、カラス等の鳥類がゴミを食べ散らかすような鳥害の発生を防止することができる。またかかる効果を得るのに、特に外部電力等を必要とせず電源工事や電力費用等が不要であり、また太陽電池の生起した電力により磁力を励起することで、天候等に起因する日照の変化に応じて励起される磁力が変化し、鳥類に磁力に対する慣れが生じにくくなって長期に亘って鳥類の忌避効果を発揮させるものとなり得る。
【図面の簡単な説明】
【００１５】
【図１】本発明に係わる磁性鳥害防止中空体の、実施の一形態を示す一部破面図である。
【図２】本発明に係わる磁性鳥害防止中空体の、外駆体及び太陽電池の詳細を示す横断面図である。
【図３】本発明に係わる磁性鳥害防止中空体の、太陽電池の変形の一例を示す横断面図である。
【図４】本発明に係わる磁性鳥害防止中空体の、中空部の活用の例を示す説明図である。
【符号の説明】
【００１６】
１    磁力発生手段
２    内駆体
３    外駆体
４    中空部
５    太陽電池
１０  磁性鳥害防止中空体
【図１】
2007319001.tif 000003
【図２】
2007319001.tif 000004
【図３】
2007319001.tif 000005
【図４】
2007319001.tif 000006